(57)【要約】【課題】本発明は、災害発生時以外にも防災、復興に必要な災害関連情報を出力する。【解決手段】通信システム１は、通信情報の送信側画像形成装置Ｇｋ１〜Ｇｋｎと受信側画像形成装置Ｇｋ１〜Ｇｋｎの間で、該通信情報に付加する付加情報を指定する付加指定情報を授受して決定し、付加情報を提供する広告サーバＳＶから、該受信側画像形成装置Ｇｋ１〜Ｇｋｎが、決定された該付加指定情報に対応する付加情報を取得して、該通信情報に付加して出力する。この際、受信側画像形成装置Ｇｋ１〜Ｇｋｎは、操作表示部２７の取得した通信情報に対して付加を許可する付加情報を指定する付加指定情報と、送信側画像形成装置Ｇｋ１〜Ｇｋｎから受信した付加指定情報とに基づいて、付加指定情報を決定して、広告サーバＳＶから付加情報を取得するが、いずれかの付加指定情報が災害関連情報を指定していると、災害関連情報を優先して該付加情報として取得する。【選択図】          図１
2015148883.tif 000002
【特許請求の範囲】
【請求項１】
通信情報の送信装置と受信装置の間で、該通信情報に付加する付加情報を指定する付加指定情報を授受して決定し、付加情報を提供する付加情報提供装置から、該受信装置が、決定された該付加指定情報に対応する付加情報を取得して、該通信情報に付加して出力する通信システムであって、
前記付加情報提供装置は、
前記付加情報として、災害に関連する災害関連情報及び災害関連情報以外の情報を格納する情報格納手段と、
前記受信装置から送られてくる前記付加指定情報に対応する前記付加情報を前記情報格納手段から取り出して提供する付加情報提供手段と、
を備え、
前記送信装置は、
前記通信情報に対する前記付加指定情報を設定する指定情報設定手段を、
備え、
前記受信装置は、
前記通信情報に対して付加を許可する前記付加情報を指定する付加指定情報を取得する指定情報取得手段と、
前記送信装置から受信した前記付加指定情報と、前記指定情報取得手段の取得する前記付加指定情報とに基づいて、前記付加情報提供装置から前記付加情報を取得するとともに、いずれかの該付加指定情報が前記災害関連情報を指定していると、該災害関連情報を優先して該付加情報として取得する付加情報取得手段と、
前記付加情報を前記通信情報に付加して出力する出力手段と、
を備えていることを特徴とする通信システム。
【請求項２】
前記付加情報提供手段は、
前記付加指定情報が前記災害情報を指定していて、該災害情報が複数存在するときには、格納日時の新しい順、送信回数の多い順を、優先順位として、所定数の該災害情報を前記付加情報として提供することを特徴とする請求項１記載の通信システム。
【請求項３】
前記付加情報提供手段は、
前記付加指定情報が前記災害情報以外の前記付加情報を指定していて、該付加情報が複数存在するときには、格納日時の古い順、送信回数の少ない順、該付加情報に付与されている優先度を、優先順位として、所定数の該付加情報を提供することを特徴とする請求項１または請求項２記載の通信システム。
【請求項４】
前記通信システムは、
前記付加情報として、広告情報を前記通信情報に付加する広告通信システムであることを特徴とする請求項１から請求項３のいずれかに記載の通信システム。
【請求項５】
通信情報の送信装置との間で、該通信情報に付加する付加情報を指定する付加指定情報を授受して決定し、複数の該付加指定情報に関連させて災害関連情報を含む該付加情報を複数格納して該付加情報を提供する付加情報提供装置から、決定された該付加指定情報に対応する付加情報を取得して、該通信情報に付加して出力する画像処理装置であって、
前記通信情報に対して付加を許可する前記付加情報を指定する付加指定情報を取得する指定情報取得手段と、
前記送信装置から受信した前記付加指定情報と、前記指定情報取得手段の取得する前記付加指定情報とに基づいて、前記付加情報提供装置から前記付加情報を取得するとともに、いずれかの該付加指定情報が前記災害関連情報を指定していると、該災害関連情報を優先して該付加情報として取得する付加情報取得手段と、
前記付加情報を前記通信情報に付加して出力する出力手段と、
を備えていることを特徴とする画像処理装置。
【請求項６】
通信情報の送信装置と受信装置の間で、該通信情報に付加する付加情報を指定する付加指定情報を授受して決定し、付加情報を提供する付加情報提供装置から、該受信装置が、決定された該付加指定情報に対応する付加情報を取得して、該通信情報に付加して出力する通信システムにおける付加情報出力方法であって、
前記付加情報提供装置における処理ステップとして、
前記付加情報として、災害に関連する災害関連情報及び災害関連情報以外の情報を情報格納手段に格納する情報格納処理ステップと、
前記受信装置から送られてくる前記付加指定情報に対応する前記付加情報を前記情報格納手段から取り出して提供する付加情報提供処理ステップと、
を有し、
前記送信装置における処理ステップとして、
前記通信情報に対する前記付加指定情報を設定する指定情報設定処理ステップと、
を有し、
前記受信装置における処理ステップとして、
前記通信情報に対して付加を許可する前記付加情報を指定する付加指定情報を取得する指定情報取得処理ステップと、
前記送信装置から受信した前記付加指定情報と、前記指定情報取得処理ステップで取得される前記付加指定情報とに基づいて、前記付加情報提供装置から前記付加情報を取得するとともに、いずれかの該付加指定情報が前記災害関連情報を指定していると、該災害関連情報を優先して該付加情報として取得する付加情報取得処理ステップと、
前記付加情報を前記通信情報に付加して出力する出力処理ステップと、
を有していることを特徴とする付加情報出力方法。
【発明の詳細な説明】
【技術分野】
【０００１】
本発明は、通信システム、画像処理装置及び付加情報出力方法に関し、詳細には、災害発生時以外にも防災、復興に必要な災害関連情報を出力する通信システム、画像処理装置及び付加情報出力方法に関する。
【背景技術】
【０００２】
プリンタ装置、複写装置、ファクシミリ装置、複合装置等の画像形成装置は、原稿を読み取った画像データや送信側装置から受信した画像データ等に基づいて、用紙、フィルム等の被記録媒体（以下、単に、用紙という。）に画像を形成出力する。
【０００３】
一方、近年、気象庁は、緊急地震速報のサービスを提供するようになり、震源地の経度、緯度、震源の深さ、地震の規模（マグニチュード）等の地震自体に関する情報を計算して、特定の端末や事業者に提供する。
【０００４】
ところが、従来、緊急地震速報を受信した端末や事業者は、単に、受信した情報を報知出力、例えば、震度いくらの地震が発生する旨の通知等を行うのみであった。
【０００５】
そこで、従来、災害に関する情報を受信すると、予めメモリに格納された特定の相手先の連絡先を自動的に印刷する災害情報受信機能付印刷装置が提案されている（特許文献１参照）。また、この従来技術では、緊急地震速報を受信したときに、避難場所を示す地図情報や避難経路をメモリから読み出して印刷することが、開示されている。
【発明の概要】
【発明が解決しようとする課題】
【０００６】
しかしながら、上記公報記載の従来技術にあっては、緊急地震速報を受信したときにのみ、連絡先や避難場所の情報の印刷を行うことはできるが、地震発生前や発生してしまった後で、これらの情報を印刷することができず、利用性が悪いという問題があった。すなわち、地震発生する前や発生した後に、地域の防災活動や復旧、支援等の復興に対する情報提供を行うことができず、利用性が悪いという問題があった。
【０００７】
そこで、本発明は、災害発生時以外にも災害関連情報を出力することを目的としている。
【課題を解決するための手段】
【０００８】
上記目的を達成するために、請求項１記載の通信システムは、通信情報の送信装置と受信装置の間で、該通信情報に付加する付加情報を指定する指定情報を授受して決定し、付加情報を提供する付加情報提供装置から、該受信側装置が、決定された該指定情報に対応する付加情報を取得して、該通信情報に付加して出力する通信システムであって、前記付加情報提供装置は、前記付加情報として、災害に関連する災害関連情報及び災害関連情報以外の情報を格納する情報格納手段と、前記受信装置から送られてくる前記指定情報に対応する前記付加情報を前記情報格納手段から取り出して提供する付加情報提供手段と、を備え、前記送信装置は、前記通信情報に対する前記指定情報を設定する指定情報設定手段を、備え、前記受信装置は、前記通信情報に対して付加を許可する前記付加情報を指定する指定情報を取得する指定情報取得手段と、前記送信装置から受信した前記指定情報と、前記指定情報取得手段の取得する前記指定情報とに基づいて、前記付加情報提供装置から前記付加情報を取得するとともに、いずれかの該指定情報が前記災害関連情報を指定していると、該災害関連情報を優先して該付加情報として取得する付加情報取得手段と、前記付加情報を前記通信情報に付加して出力する付加出力手段と、を備えていることを特徴としている。
【発明の効果】
【０００９】
本発明によれば、災害発生時以外にも災害関連情報を出力することができる。
【図面の簡単な説明】
【００１０】
【図１】本発明の一実施例を適用した通信システムのシステム構成図。
【図２】広告サーバのブロック構成図。
【図３】付加指定情報データベースの一例を示す図。
【図４】登録画像データベースの一例を示す図。
【図５】画像形成装置の要部ブロック図。
【図６】通信制御処理を示すフローチャート。
【図７】付加情報の付加書理を伴う情報出力処理を示すフローチャート。
【図８】広告サーバにおける付加情報提供処理を示すフローチャート。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図８は、本発明の通信システム、画像処理装置及び付加情報出力方法の一実施例を示す図であり、図１は、本発明の通信システム、画像処理装置及び付加情報出力方法の一実施例を適用した通信システム１のシステム構成図である。
【００１３】
図１において、通信システム１は、２つのネットワークＮＷ１、ＮＷ２に、複数の画像形成装置Ｇｋ１〜Ｇｋｎ、広告サーバＳＶ、広告登録端末ＣＴ及び行政区端末ＡＴ等が接続されている。本実施例の通信システム１では、ネットワークＮＷ１は、インターネットであり、ネットワークＮＷ２は、公衆電話回線網（ＰＳＴＮ）である。
【００１４】
通信システム１は、画像形成装置Ｇｋ１〜Ｇｋｎ間の通信情報に付加情報として、広告サーバＳＶに格納されている広告情報及び災害関連情報を付加して、受信側の画像形成装置（受信側装置）Ｇｋ１〜Ｇｋｎで出力する。そして、広告登録端末ＣＴ及び行政区端末ＡＴは、それぞれ広告情報及び災害関連情報を、広告サーバＳＶに登録する。
【００１５】
広告登録端末ＣＴは、ネットワークＮＷ１を介して広告サーバＳＶに接続されており、広告サーバＳＶに広告情報を登録して、画像形成装置Ｇｋ１〜Ｇｋｎ間で通信される通信情報に、広告情報の付加を依頼する企業等に設置されている端末である。広告情報は、広告情報本体である広告画像と該広告画像を通信情報に付加するための付加指定情報等からなる。
【００１６】
行政区端末ＡＴは、ネットワークＮＷ１を介して広告サーバＳＶに接続されており、広告サーバＳＶに災害関連情報を登録して、画像形成装置Ｇｋ１〜Ｇｋｎ間で通信される通信情報に、災害関連情報の付加を依頼する行政区に設置されている端末である。災害関連情報は、災害関連情報本体である災害関連画像と該災害関連画像を通信情報に付加するための付加指定情報等からなる。災害関連情報は、災害発生前、災害発生時、災害発生後の防災に必要な防災情報等である。
【００１７】
広告サーバ（付加情報提供装置）ＳＶは、通常のハードウェア構成及びソフトウェア構成のコンピュータ等が用いられており、特に、本発明の付加情報出力方法を実行するための付加情報出力プログラムが搭載されることで、図２に示すようにブロック構成されている。
【００１８】
すなわち、広告サーバＳＶは、図２に示すように、制御部１１、主記憶部１２、広告情報記憶部１３、広告画像記憶部１４、通信制御部１５、操作部１６及び表示部１７等を備えており、各部は、バス１８で接続されている。
【００１９】
主記憶部１２は、ＲＯＭ（Read Only Memory）、ＲＡＭ（Random Access Memory）等で構成され、広告サーバＳＶとしての基本プログラム、本発明の付加情報出力プログラム、システムデータ及び付加情報出力処理で使用する各種データを記憶する。
【００２０】
制御部１１は、ＣＰＵ（Central Processing Unit）等で構成されている。制御部１１は、主記憶部１２のプログラムに基づいて、主記憶部１２をワークメモリとして利用しつつ、広告サーバＳＶの各部を制御して、広告サーバＳＶとしての基本処理を実行するとともに、本発明の付加情報出力処理を実行する。
【００２１】
広告情報記憶部１３及び広告画像記憶部１４は、ハードディスク（ＨＤＤ： Hard Disk Drive）、ＳＳＤ（Solid State Drive）等の大容量記憶部が用いられており、情報格納手段として機能している。
【００２２】
広告情報記憶部１３は、図３に示すような付加指定情報データベースＤＢ１を格納している。付加指定情報データベースＤＢ１は、情報識別子が「ad」から始まる広告データを指定する広告用付加指定情報Ａｆと識別子が「ZZ」から始まる災害関連情報を指定する災害用付加指定情報Ｚｆとが格納されている。
【００２３】
広告用付加指定情報Ａｆは、付加情報としての広告情報を特定する情報である。広告用付加指定情報Ａｆは、図３に示すように、例えば、情報識別子（ＩＤが、ａｄから始まる識別子）、登録主名（Ａ社、Ｂ社等）、最終掲載日時（１２／０６／１２  １２：００等）、掲載分野（旅行、地域等）、種別（観光案内等）、掲載地域（東京等）、広告画像（画像Ａ、画像Ｂ、画像Ｅ等）、掲載回数（３回、６回等）である。
【００２４】
災害用付加指定情報Ｚｆは、付加情報としての災害関連情報を特定する情報である。災害用付加指定情報Ｚｆは、図３に示すように、例えば、情報識別子（ＩＤが、ＺＺから始まる識別子）、登録主名（行政区）、最終掲載日時（１２／０７／０７  １５：３０等）、掲載分野（防災）、種別（避難場所、復旧情報等）、掲載地域（XX地区等）、広告画像（画像Ｈ、画像Ｃ等）、掲載回数（２回、ｘ回等）である。
【００２５】
広告画像記憶部１４は、図４に示すような登録画像データベースＤＢ２を格納している。登録画像データベースＤＢ２は、画像ファイル名（画像Ａ、画像Ｂ、・・・等）と画像本体が登録されており、画像ファイル名によって、広告用付加指定情報Ａｆ及び災害用付加指定情報Ｚｆと関連付けられている。この画像は、広告情報の画像では、広告本体（付加情報の本体）の画像データであり、災害関連情報の画像では、避難地図、防災計画画像、災害状況画像等の画像である。上記広告情報記憶部１３及び広告画像記憶部１４は、全体として、付加情報として、災害に関連する災害関連情報及び災害関連情報以外の情報を格納する情報格納手段として機能している。
【００２６】
通信制御部１５は、ネットワークＮＷ１に接続されており、ネットワークＮＷ１及びネットワークＮＷ２に接続されている広告登録端末ＣＴ、行政区端末ＡＴ及び画像形成装置Ｇｋ１〜Ｇｋｎと通信する。通信制御部１５は、ネットワークＮＷ１を介して広告登録端末ＣＴ及び行政区端末ＡＴと通信して、広告情報及び災害関連情報の登録要求を受け付ける。制御部１１は、通信制御部１５が受信した広告情報及び災害関連情報に関して、広告情報記憶部１３の付加指定情報データベースＤＢ１への広告用付加指定情報Ａｆ、災害用付加指定情報Ｚｆの登録及び登録画像データベースＤＢ２への画像の登録を行う。また、通信制御部１５は、画像形成装置Ｇｋ１〜Ｇｋｎと通信して、画像形成装置Ｇｋ１〜Ｇｋｎ間で通信される通信情報、例えば、ファクシミリ情報に対して、受信側画像形成装置Ｇｋ１〜Ｇｋｎから通知される付加指定情報Ａｆ、Ｚｆを受信する。制御部１１は、通信制御部１５が受信した付加指定情報Ａｆ、Ｚｆに基づいて、付加指定情報データベースＤＢ１を検索して、付加する付加情報を確定し、該付加情報である画像を登録画像データベースＤＢ２から取得する。通信制御部１５は、制御部１５が取得した付加情報である画像を、付加指定情報を送信してきた画像形成装置Ｇｋ１〜Ｇｋｎに送信する。したがって、制御部１１は、画像形成装置Ｇｋ１〜Ｇｋｎから送られてくる付加指定情報に対応する付加情報を広告情報記憶部１３及び広告画像記憶部１４から取り出して提供する付加情報提供手段として機能している。
【００２７】
操作部１６は、各種操作キーを備えたキーボード、マウス等の入力デバイスで構成され、広告サーバＳＶの動作の指示操作等に使用される。操作部１６は、操作内容を制御部１１に出力し、制御部１１は、操作部１６からの操作に応じて各種動作処理を行う。
【００２８】
表示部１７は、液晶ディスプレイ等で構成され、制御部１１の制御下で、操作部１６から入力された操作内容や広告サーバからユーザに通知する各種情報を表示する。
【００２９】
そして、画像形成装置（画像処理装置）Ｇｋ１〜Ｇｋｎは、ファクシミリ装置、プリンタ装置、ファクシミリ装置、複写装置及び複合装置等であるが、コンピュータ等の画像データの処理、特に、出力処理を行う画像処理装置であってもよい。画像形成装置Ｇｋ１〜Ｇｋｎは、例えば、図５に示すようにブロック構成されており、制御部２１、主記憶部２２、画像処理部２３、通信制御部２４、読取部２５、記録部２６及び操作表示部２７等を備えており、各部は、バス２８で接続されている。なお、画像形成装置Ｇｋ１〜Ｇｋｎは、ファクシミリ装置、プリンタ装置、ファクシミリ装置、複写装置及び複合装置等の画像形成装置の種別によって搭載する各部が異なる。
【００３０】
主記憶部２２は、ＲＯＭ、ＲＡＭ等で構成され、画像形成装置Ｇｋ１〜Ｇｋｎとしての基本プログラム、本発明の付加情報出力プログラム、システムデータ及び付加情報出力処理で使用する各種データを記憶する。特に、主記憶部２２は、受信した通信情報としての印刷データ（画像データ）、付加情報（広告情報、災害関連情報、付加指定情報）等を制御部２１の制御下で記憶する。
【００３１】
制御部（付加情報取得手段）２１は、主記憶部２２のプログラムに基いて、主記憶部２２をワークメモリとして利用しつつ、画像形成装置Ｇｋ１〜Ｇｋｎの各部を制御して、画像形成装置Ｇｋ１〜Ｇｋｎとしての基本処理を実行する。また、制御部２１は、主記憶部２２の付加情報出力プログラムに基いて、本発明の通信情報に、広告情報や災害関連情報の付加情報を付加して出力する付加情報出力処理を行う。
【００３２】
画像処理部２３は、取り込んだ画像データに対して、記録部２６で記録出力したり、主記憶部２２を利用して、通信制御部２４で他の画像形成装置Ｇｋ１〜Ｇｋｎに送信出力等の出力を行うのに必要な画像処理を施す。
【００３３】
通信制御部２４は、制御部２１の制御下で、ネットワークＮＷ１、ＮＷ２を介して、他の画像形成装置Ｇｋ１〜Ｇｋｎと通信して、通信情報（例えば、ファクシミリ情報、画像情報等）の送受信を行う。また、通信制御部２４は、制御部２１の制御下で、広告サーバＳＶと通信して、付加指定情報を送信し、該付加指定情報に応じた付加情報を受信する。
【００３４】
読取部２５は、例えば、ＣＣＤ（Charge Coupled Device ）、ＣＭＯＳ（Complementary Metal Oxide Semiconductor ）、ＣＩＳ（Contact Image Sensor）等を利用したイメージスキャナ等が利用されており、一般的に、ＡＤＦ（Auto Document Feeder）を備えている。ＡＤＦには、複数枚の原稿がセットされ、ＡＤＦは、セットされた原稿を１枚ずつ読取部２５の原稿読取位置に送給する。読取部２５は、ＡＤＦから搬送されてきた原稿を走査し、原稿の画像を所定の解像度で読み取って、２値化して出力する。
【００３５】
記録部（出力手段）２６は、電子写真方式、インク吐出方式等の各種画像記録方式の記録部が用いられる。記録部２６は、例えば、電子写真方式の記録部の場合、カラー記録部では、各色毎にトナー画像を順次用紙を搬送する搬送ベルトまたは転写ベルトに転写する画像記録ユニットが、順次並んで配設されている。この場合、画像記録ユニットは、それぞれ感光体、帯電部、現像部、転写部及びクリーニング部等を備えている。各画像記録ユニットは、回転駆動される感光体上に、帯電部によって一様に帯電された後、光書込部によって各色の画像データに基づいて変調された露光光が照射されることで、静電潜像が形成される。画像記録ユニットは、静電潜像の形成された感光体に、現像部により対応する色のトナーを供給することで現像してトナー画像を形成し、給紙部から感光体と転写部との間に搬送されてくる用紙に、感光体上の各色のトナー画像を順次重ねて用紙に転写させてカラートナー画像を作像する。記録部２６は、各色の画像記録ユニットで各色のトナー画像が順次重ねた転写されたカラートナー画像の転写された用紙を定着部に搬送し、定着部で該用紙を加熱・加圧して、カラートナー画像を用紙に定着させる。また、記録部２６は、インク吐出方式の場合、例えば、間欠記録方式で画像形成する。すなわち、記録部２６は、各色のインクノズルを搭載する記録ヘッドを、主走査方向に移動させつつ、停止している用紙に向かって、画像データに基づいてインク滴を吐出させて画像形成する。次に、記録部２６は、用紙を、１回の主走査で画像形成するライン幅だけ用紙を、副走査方向に搬送して停止させ、同様に、キャリッジを主走査方向に移動させながら、インク滴を吐出させて１走査分の画像を形成するという処理を順次繰り返し行なって画像形成する。
【００３６】
操作表示部（指定情報設定手段、指定情報取得手段）２７は、画像形成装置Ｇｋ１〜Ｇｋｎを操作するのに必要な各種キーを備えるとともに、ディスプレイ（例えば、液晶ディスプレイ）やＬＥＤ（Light Emitting Diode）等のランプを備えている。操作キーは、画像形成装置Ｇｋ１〜Ｇｋｎを利用した各種動作処理に必要な各種操作や後述するように付加情報出力処理での各種操作が行われ、ディスプレイには、操作キーから入力された命令内容や画像形成装置Ｇｋ１〜Ｇｋｎからユーザに通知する各種情報が表示される。特に、操作表示部２７は、画像形成装置Ｇｋ１〜Ｇｋｎが受信側装置であるときには、付加指定情報として、受信を許可する付加情報の範囲を指定する付加情報指定操作が行われ、特に、付加情報として災害関連情報の受信を許可する付加情報指定操作が行われる。制御部２１は、操作表示部２７で、付加情報指定操作が行われると、該付加情報指定操作で指定された付加指定情報を主記憶部２２に記憶する。制御部２１は、後述するように、他の画像形成装置Ｇｋ１〜Ｇｋｎからのデータ受信時に、該付加指定情報に基づいて、広告サーバＳＶから付加情報を取得する。また、操作表示部２７は、画像形成装置Ｇｋ１〜Ｇｋｎが送信側として機能する場合に、送信する通信情報に付加することを許可する付加情報を指定する付加指定情報を設定入力するのに使用される。制御部２１は、送信する通信情報用に操作表示部２７から入力された付加指定情報を、送信する通信情報に付加を許可する付加情報を指定する付加指定情報として、記録部２６に格納する。
【００３７】
通信システム１は、少なくとも、広告サーバＳＶ及び画像形成装置Ｇｋ１〜Ｇｋｎに、本発明の付加情報出力処理のうち、広告サーバＳＶ及び画像形成装置Ｇｋ１〜Ｇｋｎで実行すべき部分の処理に対応する付加情報出力プログラムが導入されている。
【００３８】
すなわち、通信システム１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の付加情報出力方法を実行する付加情報出力プログラムを、少なくとも、広告サーバＳＶ及び画像形成装置Ｇｋ１〜Ｇｋｎが読み込んで主記憶部１２、２２等に導入することで、後述する災害発生時以外にも災害関連情報を出力する付加情報出力方法を実行する広告サーバＳＶ、画像形成装置Ｇｋ１〜Ｇｋｎをその構成要素として備えている通信システム１として構築されている。この付加情報出力プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３９】
次に、本実施例の作用を説明する。本実施例の通信システム１は、災害発生時以外にも災害関連情報を出力する。
【００４０】
通信システム１は、画像形成装置Ｇｋ１〜Ｇｋｎの１つを送信側画像形成装置Ｇｋ１〜Ｇｋｎとし、他の画像形成装置Ｇｋ１〜Ｇｋｎを受信側画像形成装置Ｇｋ１〜Ｇｋｎとして、画像データ、例えば、ファクシミリ情報、印刷ジョブ等を通信情報として送信する。
【００４１】
通信システム１は、この通信情報の通信において、受信側画像形成装置Ｇｋ１〜Ｇｋｎが、予め設定されて主記憶部２２に格納されている付加指定情報で指定されている付加情報の受信を許可する旨を通知する。受信側画像形成装置Ｇｋ１〜Ｇｋｎは、送信側画像形成装置Ｇｋ１〜Ｇｋｎとの間で、付加指定情報が決定すると、該付加指定情報の付加情報を、広告サーバＳＶから取得する。受信側画像形成装置Ｇｋ１〜Ｇｋｎは、広告サーバＳＶから取得した付加情報を通信情報に付加して、記録部２６で用紙に記録出力する。
【００４２】
この場合、送信側及び受信側の画像形成装置Ｇｋ１〜Ｇｋｎのユーザは、操作表示部２７での操作等によって、受信を許可する付加情報を指定する付加指定情報を設定することができる。画像形成装置Ｇｋ１〜Ｇｋｎは、この付加指定情報の設定において、災害関連情報の受信を指定する災害用付加指定情報Ｚｆが設定されると、該災害用付加指定情報Ｚｆを、主記憶部２２に登録する。
【００４３】
受信側画像形成装置Ｇｋ１〜Ｇｋｎは、図６に示すように、主記憶部２２に登録されている付加指定情報を用いて、広告サーバＳＶから付加情報と取得して、該付加情報を通信情報に付加する通信制御処理を行う。受信側画像形成装置Ｇｋ１〜Ｇｋｎは、この付加指定情報として、災害用付加指定情報Ｚｆが設定登録されていると、該災害用付加指定情報Ｚｆを用いて災害関連情報の要求を、広告サーバＳＶに行って、災害関連情報を取得する。
【００４４】
すなわち、画像形成装置Ｇｋ１〜Ｇｋｎは、図６に示すように、ネットワークＮＷ１、ＮＷ２から着呼があると（ステップＳ１０１）、通信制御部２４が、着呼応答する。制御部２１は、主記憶部２２に登録されている付加指定情報を取得して通信制御部２４に渡し、通信制御部２４が送信側画像形成装置Ｇｋ１〜Ｇｋｎに該付加指定情報を通知させる（ステップＳ１０２）。制御部２１は、このとき、主記憶部２２に災害用付加指定情報Ｚｆが登録されていると、該災害用付加指定情報Ｚｆを送信側画像形成装置Ｇｋ１〜Ｇｋｎに通知する。
【００４５】
送信側画像形成装置Ｇｋ１〜Ｇｋｎは、付加指定情報を受信すると、該付加指定情報に基づく付加情報の受信と印刷を要求する。
【００４６】
受信側画像形成装置Ｇｋ１〜Ｇｋｎは、送信側画像形成装置Ｇｋ１〜Ｇｋｎからの付加指定情報の受信と印刷の要求を確認する（ステップＳ１０３）。
【００４７】
受信側画像形成装置Ｇｋ１〜Ｇｋｎは、付加指定情報を確認すると、掲載要求（付加情報の出力要求）があるか確認する（ステップＳ１０４）。
【００４８】
ステップＳ１０４で、掲載要求があると（ステップＳ１０４で、ＹＥＳのとき）、受信側画像形成装置Ｇｋ１〜Ｇｋｎは、受付可能な付加情報の付加指定情報（例えば、災害関連情報を指定する災害用付加指定情報Ｚｆ）を通知する（ステップＳ１０５）。
【００４９】
受信側画像形成装置Ｇｋ１〜Ｇｋｎは、付加指定情報を主記憶部２２に記憶し（ステップＳ１０６）、通信情報（例えば、ファクシミリが情報）を受信する（ステップＳ１０７）。受信側画像形成装置Ｇｋ１〜Ｇｋｎは、通信情報を受信すると、該通信情報を主記憶部２２に保管し（ステップＳ１０８）、通信を終了する（ステップＳ１０９）。
【００５０】
ステップＳ１０４で、掲載要求がないとき（ステップＳ１０４で、ＮＯのとき）、受信側画像形成装置Ｇｋ１〜Ｇｋｎは、付加指定情報の主記憶部２２への記憶を行うことなく、通信情報を受信する（ステップＳ１０７）。受信側画像形成装置Ｇｋ１〜Ｇｋｎは、受信した通信情報を主記憶部２２への保管し（ステップＳ１０８）、通信を終了する（ステップＳ１０９）。受信側画像形成装置Ｇｋ１〜Ｇｋｎは、付加指定情報を先に取得しているときには、通信情報と付加指定情報を関連付けて記憶する。
【００５１】
そして、通信システム１は、例えば、送信側画像形成装置Ｇｋ１〜Ｇｋｎ及び受信側画像形成装置Ｇｋ１〜Ｇｋｎが、ファクシミリ通信で通信情報（ファクシミリ文書）を送受信するときには、上記付加指定情報の処理をファクシミリプロトコルで行う。
【００５２】
すなわち、受信側画像形成装置Ｇｋ１〜Ｇｋｎは、付加指定情報（例えば、災害用付加指定情報Ｚｆ）を、ＮＳＦ信号（非標準機能識別信号）にマッピングして送信側画像形成装置Ｇｋ１〜Ｇｋｎへ送信する。
【００５３】
送信側画像形成装置Ｇｋ１〜Ｇｋｎは、ファクシミリ文書に付加する付加情報を指定する付加指定情報（例えば、災害関連情報を指定する災害用付加指定情報Ｚｆ）をＮＳＣ信号（準機能命令信号）マッピングして受信側画像形成装置Ｇｋ１〜Ｇｋｎへ送信する。
【００５４】
受信側画像形成装置Ｇｋ１〜Ｇｋｎは、送信側画像形成装置Ｇｋ１〜Ｇｋｎとのやりとりから付加する付加情報を決定して、その付加情報の付加指定情報を確定すると、ＮＳＳ信号（非標準機能設定信号）にマッピングして送信側画像形成装置Ｇｋ１〜Ｇｋｎに送信する。
【００５５】
送信側画像形成装置Ｇｋ１〜Ｇｋｎ及び受信側画像形成装置Ｇｋ１〜Ｇｋｎは、ファクシミリ通信の場合、上記ファクシミリプロトコルの交換によって付加指定情報の確定を行う。
【００５６】
そして、受信側画像形成装置Ｇｋ１〜Ｇｋｎは、通信情報の受信を完了すると、図７に示すように、通信情報への付加情報の付加制御を伴う記録出力処理を行う。
【００５７】
すなわち、受信側画像形成装置Ｇｋ１〜Ｇｋｎは、通信情報の受信を完了すると、主記憶部２２から通信情報を取得し（ステップＳ２０１）、該通信情報に付加指定情報が関連付けて主記憶部２２に記憶されているかチェックする（ステップＳ２０２）。すなわち、受信側画像形成装置Ｇｋ１〜Ｇｋｎは、該通信情報に付加すべき付加情報があるかチェックする。
【００５８】
ステップＳ２０２で、付加情報があるとき（ステップＳ２０２で、ＹＥＳのとき）、受信側画像形成装置Ｇｋ１〜Ｇｋｎは、広告サーバＳＶに付加指定情報を送って対応する付加情報を取得する付加情報取得処理を行う（ステップＳ２０３）。
【００５９】
次に、受信側画像形成装置Ｇｋ１〜Ｇｋｎは、画像処理部２３で、通信情報を、付加情報を付加するのに適した状態に画像整形し（ステップＳ２０４）、画像合成（挿入）する（ステップＳ２０５）。
【００６０】
受信側画像形成装置Ｇｋ１〜Ｇｋｎは、画像合成した受信情報及び付加情報を、記録部２６で用紙に記録出力（印刷出力）して、情報出力処理を終了する（ステップＳ２０６）。
【００６１】
ステップＳ２０２で、付加情報がないとき（ステップＳ２０２で、ＮＯのとき）、受信側画像形成装置Ｇｋ１〜Ｇｋｎは、付加情報の取得及び付加を行うことなく、通信情報を、記録部２６で用紙に記録出力して、情報出力処理を終了する（ステップＳ２０６）。
【００６２】
通信システム１は、上記付加情報取得処理を受信側画像形成装置Ｇｋ１〜Ｇｋｎが広告サーバＳＶに対して実行すると、広告サーバＳＶが、図８に示すように、付加情報提供処理を実行して、付加情報を提供する。
【００６３】
すなわち、広告サーバＳＶは、画像形成装置Ｇｋ１〜Ｇｋｎから付加情報取得要求があると（ステップＳ３０１）、必要な付加指定情報を受信して取得する（ステップＳ３０２）。広告サーバＳＶは、付加指定情報を受信すると、該付加指定情報に基づいて、付加指定情報データベースＤＢ１を、掲載分野、種別を検索キーとして、該付加指定情報に対応する付加情報を検索する（ステップＳ３０３）。
【００６４】
広告サーバＳＶは、要求された付加指定情報に対応する付加情報があるかチェックし（ステップＳ３０４）、付加情報があると（ステップＳ３０４で、ＹＥＳのとき）、複数の付加情報が存在するかチェックする（ステップＳ３０５）。
【００６５】
ステップＳ３０５で、複数の付加情報が存在すると（ステップＳ３０５で、ＹＥＳのとき）、広告サーバＳＶは、複数の該付加情報の優先順位を確認する（ステップＳ３０６）。この付加情報の優先順位は、例えば、付加情報の付加指定情報に登録されている該付加情報の掲載回数、最終掲載日時等の項目に基づいて、項目単独、または、項目の組み合わせにより、以下のように予め設定されている。
【００６６】
１）付加情報の最終掲載日時が古いほど優先順位が高い。
【００６７】
２）付加情報の掲載回数が少ないほど優先順位が高い。
【００６８】
３）付加情報の関連する登録画像の優先度が高いほど優先順位が高い。
【００６９】
また、付加情報のうち、災害関連情報は、掲載回数、最終掲載日時等の項目に基づいて、項目単独、または、項目の組み合わせにより、以下のような優先順位が設定されている。
【００７０】
１）付加情報（災害関連情報）の最終掲載日時が新しいほど優先順位が高い。
【００７１】
２）付加情報（災害関連情報）の掲載回数が多いほど優先順位が高い。
【００７２】
すなわち、付加情報が災害関連情報であると、新しい情報ほど、また、掲載回数が多いほど、優先順が高い。
【００７３】
そして、広告サーバＳＶは、上記優先順位に基づいて、必要な数の付加情報を選択し（ステップＳ３０７）、付加情報があることを、付加情報を要求してきた画像形成装置Ｇｋ１〜Ｇｋｎに通知する（ステップＳ３０８）。
【００７４】
広告サーバＳＶは、必要な数の付加情報を、広告画像記憶部１４から取得して、付加情報を要求してきた画像形成装置Ｇｋ１〜Ｇｋｎに送信し、付加情報提供処理を終了する（ステップＳ３０９）。
【００７５】
ステップＳ３０５で、付加情報が１つのとき（ステップＳ３０５で、ＮＯのとき）、広告サーバＳＶは、付加情報があることを、付加情報を要求してきた画像形成装置Ｇｋ１〜Ｇｋｎに通知する（ステップＳ３０８）。
【００７６】
広告サーバＳＶは、１つに特定されている付加情報を、広告画像記憶部１４から取得して、付加情報を要求してきた画像形成装置Ｇｋ１〜Ｇｋｎに送信し、付加情報提供処理を終了する（ステップＳ３０９）。
【００７７】
また、ステップＳ３０４で、要求された付加情報がないと（ステップＳ３０４で、ＮＯのとき）、広告サーバＳＶは、付加情報がない旨を、付加情報を要求してきた画像形成装置Ｇｋ１〜Ｇｋｎに送信し、付加情報提供処理を終了する（ステップＳ３１０）。
【００７８】
なお、上記説明では、通信情報がファクシミリ情報である場合について、詳細に説明したが、通信情報は、ファクシミリ情報に限るものではない。
【００７９】
また、上記説明では、通信システム１が広告システムである場合について説明したが、通信システム１は、広告システムに限るものではない。
【００８０】
したがって、ユーザは、付加指定情報として、災害用付加指定情報Ｚｆを設定することで、災害発生時だけでなく、災害発生前及び災害発生後においても、適時に、防災情報、復旧情報等の災害関連情報を付加情報として取得して、出力することができる。
【００８１】
このように、本実施例の通信システム１は、ファクシミリ文書等の通信情報の送信側画像形成装置（送信装置）Ｇｋ１〜Ｇｋｎと受信側画像形成装置（受信装置）Ｇｋ１〜Ｇｋｎの間で、該通信情報に付加する付加情報を指定する指定情報を授受して決定し、付加情報を提供する広告サーバ（付加情報提供装置）ＳＶから、該受信側画像形成装置Ｇｋ１〜Ｇｋｎが、決定された該指定情報に対応する付加情報を取得して、該通信情報に付加して出力する通信システムであって、前記広告サーバＳＶが、前記付加情報として、災害に関連する災害関連情報及び災害関連情報以外の情報を格納する広告情報記憶部１３及び広告画像記憶部１４からなる情報格納手段と、前記受信側画像形成装置Ｇｋ１〜Ｇｋｎから送られてくる前記指定情報に対応する前記付加情報を該情報格納手段から取り出して提供する制御部（付加情報提供手段）１１と、を備え、前記送信側画像形成装置Ｇｋ１〜Ｇｋｎが、前記通信情報に対する前記指定情報を設定する操作表示部２７等の指定情報設定手段を、備え、前記受信側画像形成装置Ｇｋ１〜Ｇｋｎが、前記通信情報に対して付加を許可する前記付加情報を指定する指定情報を取得する操作表示部（指定情報取得手段）２７と、送信側画像形成装置Ｇｋ１〜Ｇｋｎから受信した前記指定情報と、前記操作表示部２７の取得する前記指定情報とに基づいて、広告サーバＳＶから前記付加情報を取得するとともに、いずれかの該指定情報が前記災害関連情報を指定していると、該災害関連情報を優先して該付加情報として取得する制御部（付加情報取得手段）２１と、前記付加情報を前記通信情報に付加して出力する記録部（付加出力手段）２６と、を備えている。
【００８２】
したがって、ファクシミリ文書等の通信情報に付加する付加情報として、災害関連情報を、災害発生時にかぎらず、災害発生前、災害発生後の適時のタイミングに出力することができる。その結果、災害発生時以外にも災害関連情報を出力することができ、利用性を向上させることができる。
【００８３】
また、本実施例の通信システム１の画像形成装置Ｇｋ１〜Ｇｋｎは、通信情報の送信側画像形成装置Ｇｋ１〜Ｇｋｎとの間で、該通信情報に付加する付加情報を指定する指定情報を授受して決定し、複数の該指定情報に関連させて災害関連情報を含む該付加情報を複数格納して該付加情報を提供する広告サーバ（付加情報提供装置）ＳＶから、決定された該指定情報に対応する付加情報を取得して、該通信情報に付加して出力する画像処理装置であって、前記通信情報に対して付加を許可する前記付加情報を指定する指定情報を取得する操作表示部（指定情報取得手段）２７と、前記送信側画像形成装置Ｇｋ１〜Ｇｋｎから受信した前記指定情報と、操作表示部２７の取得する前記指定情報とに基づいて、広告サーバＳＶから前記付加情報を取得するとともに、いずれかの該指定情報が前記災害関連情報を指定していると、該災害関連情報を優先して該付加情報として取得する制御部（付加情報取得手段）２１と、前記付加情報を前記通信情報に付加して出力する記録部（付加出力手段）２６と、を備えている。
【００８４】
したがって、ファクシミリ文書等の通信情報に付加する付加情報として、災害関連情報を、災害発生時にかぎらず、災害発生前、災害発生後の適時のタイミングに出力することができる。その結果、災害発生時以外にも災害関連情報を出力することができ、利用性を向上させることができる。
【００８５】
さらに、本実施例の通信システム１は、通信情報の送信側画像形成装置Ｇｋ１〜Ｇｋｎと受信側画像形成装置Ｇｋ１〜Ｇｋｎの間で、該通信情報に付加する付加情報を指定する指定情報を授受して決定し、付加情報を提供する広告サーバ（付加情報提供装置）ＳＶから、該受信側画像形成装置Ｇｋ１〜Ｇｋｎが、決定された該指定情報に対応する付加情報を取得して、該通信情報に付加して出力する通信システムにおける付加情報出力方法であって、前記広告サーバＳＶにおける処理ステップとして、前記付加情報として、災害に関連する災害関連情報及び災害関連情報以外の情報を広告情報記憶部１３及び広告画像記憶部１４からなる情報格納手段に格納する情報格納処理ステップと、前記受信側画像形成装置Ｇｋ１〜Ｇｋｎから送られてくる前記指定情報に対応する前記付加情報を前記情報格納手段から取り出して提供する付加情報提供処理ステップと、を有し、前記送信側画像形成装置Ｇｋ１〜Ｇｋｎにおける処理ステップとして、前記通信情報に対する前記指定情報を設定する指定情報設定処理ステップと、を有し、前記受信側画像形成装置Ｇｋ１〜Ｇｋｎにおける処理ステップとして、前記通信情報に対して付加を許可する前記付加情報を指定する指定情報を取得する指定情報取得処理ステップと、送信側画像形成装置Ｇｋ１〜Ｇｋｎから受信した前記指定情報と、前記指定情報取得処理ステップで取得される前記指定情報とに基づいて、広告サーバＳＶから前記付加情報を取得するとともに、いずれかの該指定情報が前記災害関連情報を指定していると、該災害関連情報を優先して該付加情報として取得する付加情報取得処理ステップと、前記付加情報を前記通信情報に付加して出力する付加出力処理ステップと、を有している付加情報出力方法を実行する。
【００８６】
したがって、ファクシミリ文書等の通信情報に付加する付加情報として、災害関連情報を、災害発生時にかぎらず、災害発生前、災害発生後の適時のタイミングに出力することができる。その結果、災害発生時以外にも災害関連情報を出力することができ、利用性を向上させることができる。
【００８７】
また、本実施例の通信システム１は、前記付加情報提供手段である広告サーバＳＶが、前記指定情報が前記災害情報を指定していて、該災害情報が複数存在するときには、格納日時の新しい順、送信回数の多い順を、優先順位として、所定数の該災害情報を前記付加情報として提供する。
【００８８】
したがって、災害情報が指定されて、複数の災害情報が存在するときに、適時に適切な災害情報を提供することができ、利用性をより一層向上させることができる。
【００８９】
さらに、本実施例の通信システム１は、前記付加情報提供手段である広告サーバＳＶが、前記指定情報が前記災害情報以外の前記付加情報を指定していて、該付加情報が複数存在するときには、格納日時の古い順、送信回数の少ない順、該付加情報に付与されている優先度を、優先順位として、所定数の該付加情報を提供する。
【００９０】
したがって、災害情報が指定されていないときには、災害情報以外のより適切な通信情報を提供することができる。
【００９１】
また、本実施例の通信システム１は、前記付加情報として、広告情報を前記通信情報に付加する広告通信システムである。
【００９２】
したがって、通信情報に広告を付加する広告通信システムにおいて、災害情報を、災害時だけでなく、災害発生前、災害発生後の適時のタイミングに出力することができ、利用性を向上させることができる。
【００９３】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００９４】
１  通信システム
ＮＷ１、ＮＷ２  ネットワーク
Ｇｋ１〜Ｇｋｎ  画像形成装置
ＳＶ  広告サーバ
ＣＴ  広告登録端末
ＡＴ  行政区端末
１１  制御部
１２  主記憶部
１３  広告情報記憶部
１４  広告画像記憶部
１５  通信制御部
１６  操作部
１７  表示部
１８  バス
２１  制御部
２２  主記憶部
２３  画像処理部
２４  通信制御部
２５  読取部
２６  記録部
２７  操作表示部
２８  バス
ＤＢ１  付加指定情報データベース
Ａｆ  広告用付加指定情報
Ｚｆ  災害用付加指定情報
ＤＢ２  登録画像データベース
【先行技術文献】
【特許文献】
【００９５】
【特許文献１】特開２００７−０６６２８７号公報
【図１】
2015148883.tif 000003
【図２】
2015148883.tif 000004
【図３】
2015148883.tif 000005
【図４】
2015148883.tif 000006
【図５】
2015148883.tif 000007
【図６】
2015148883.tif 000008
【図７】
2015148883.tif 000009
【図８】
2015148883.tif 000010